(57)【要約】      （修正有）【課題】電解中に電解極性の切り替えを行っても、電解槽内に残っている不完全電解水や、送水路の途中に残っている電解水が他方の電解水に混入しないように工夫した電解水生成方法とその装置を提供する。【解決手段】印加電圧の極性を切り替えた後に、電解槽１０への被電解水の給水を停止した状態で、電解槽の各電解室１０Ａ，１０Ｂに残留する十分に電解が成されていない不完全電解水を、上記切り替えた印加電圧によって必要とする水質に達するまで電解を済ませた後、各電解室より各送水路１１Ａ，１１Ｂに送水することによって、スケール対策のために電解中に電解極性の切り替えを行っても、電解槽内に残っている不完全電解水や、送水路の途中に残っている電解水が他方の電解水に混入しないようにした電解水生成方法とその装置。【選択図】図１
2011045802.tif 000002
【特許請求の範囲】
【請求項１】
電解水の生成中に、電解槽の各電解室に印加される印加電圧の極性を切り替えることによって、各電解室や隔膜、或いは、電極や水路に付着されている酸化物等のスケールを除去することを可能にする電解水生成方法であって、
上記印加電圧の極性を切り替えた後に、上記電解槽への被電解水の給水を停止した状態で、上記電解槽の各電解室に残留する十分に電解が成されていない不完全電解水を、上記切り替えた印加電圧によって必要とする水質に達するまで電解を済ませ、その後、各電解室より各送水路に送水することを特徴とする電解水生成方法。
【請求項２】
前記不完全電解水の電解が済んだ後に、前記電解槽への被電解水の給水が行われ、次いで、前記極性を切り替えた印加電圧による電解が継続されることを特徴とする請求項１に記載の電解水生成方法。
【請求項３】
電解水の生成中に、電解槽の各電解室の各電極に印加される印加電圧の極性を切り替えることによって、各電解室や隔膜、或いは、電極や水路に付着されている酸化物等のスケールを除去するように構成した電解水生成装置であって、
この電解水生成装置の動作を制御する制御装置が、
上記電解槽に対する被電解水の給水を制御するための給水制御手段と、
上記各電解室内の各電極に印加される印加電圧の極性を切り替えることができる印加電圧の極性切替手段と、
印加電圧の極性の切り替え時に、上記給水制御手段による被電解水の給水の停止と、上記極性切替手段による印加電圧の極性の切り替えによる電解を、上記電解室内の不完全電解水が必要とする水質に達するまで行い、その後、上記給水制御手段による被電解水の給水の再開と、上記切り替えた印加電圧による電解を所定時間行う制御手段と、を含んでいることを特徴とする電解水生成装置。
【請求項４】
前記電解槽の各電解室毎に設けられた二つの送水口に、一方及び他方から成る二本の送水路を接続して、これ等一方の送水路の先端口を酸性水採水口と成し、他方の送水路の先端口をアルカリ性水採水口と成すと共に、
上記各送水路の途中には、上記電解槽の一方及び他方の電解室で生成されて各送水口から送水されて来る酸性水とアルカリ性水を、前記制御装置による切り替え制御に従って、酸性水は上記の酸性水採水口に向けて送出し、アルカリ性水は上記のアルカリ性水採水口に向けて送出するための第一及び第二の水路切替手段が設けられていることを特徴とする請求項３に記載の電解水生成装置。
【請求項５】
前記第一及び第二の水路切替手段による送水路の切り替えタイミングが、前記電解槽への単位時間あたりの被電解水の給水量を設定する給水量設定手段と、設定された給水量を記憶する記憶手段とを構成要素と成すと共に、
前記制御装置は、事前に設定されている前記各送水口から前記各切替手段に至るまでの送水路の内径と長さから算出した容量と、単位時間あたり給水量とから、この容量に相当する水量の送水時間経過直後に、前記各水路切替手段を切り替え作動せしめることを特徴とする請求項１、２並びに３、４に記載の電解水生成方法並びにその装置。
【請求項６】
前記第一及び第二の水路切替手段による送水路の切り替えタイミングが、前記電解槽に設けた電解水の送水路において、前記水路切替手段の直前に、少なくとも電解水の酸化還元電位検出手段、ｐＨ検出手段、或いは、塩素濃度検出手段のいずれか一手段を設けて、前記制御装置は、上記各手段によって予め決められているしきい値を越えた場合に、上記の水路切替手段が切り替え作動されるように構成されていることを特徴とする請求項３、４又は５に記載の電解水生成装置。
【請求項７】
前記制御装置に、少なくとも前記送水路の内径や長さ、及び、単位時間あたりの給水量といった、各種の設定値を入力可能にした入力部が設けられていることを特徴とする請求項３、４、５又は６に記載の電解水生成装置。
【発明の詳細な説明】
【技術分野】
【０００１】
本発明は、水道水に電解質を加えて電気分解を行なうことにより、酸性電解水（以下単に酸性水という）とアルカリ性電解水（以下単にアルカリ性水という）を生成する電解水生成方法とその装置に関するものであって、具体的には、スケール対策のために電解中に電解極性の切り替えを行なう際に、他方の電解水が一方の電解水に混入しない様に工夫した電解水生成方法とその装置に関するものである。
【背景技術】
【０００２】
酸性水やアルカリ性水を夫々採水可能な有隔膜方式の電解水生成装置に於いて、電解運転時に隔膜や電極、更には水路に酸化物等（スケール）が付着する弊害が生じるが、このスケールの付着による隔膜や電極の破損及び水路の閉塞を防止するために、例えば特許文献１に見られるように、電解槽内の電極の印加極性を切り替え自在に構成すると共に、極性の切り替えによって生成される電解水の種別の切り替えに対応するために、水路の途中に切替弁を設けることによって、各水路から常に同一の電解水が得られる様に工夫した、電解水生成方法とその装置が開発されている。
【先行技術文献】
【特許文献】
【０００３】
【特許文献１】特開平４−３３０９８７号公報
【発明の概要】
【発明が解決しようとする課題】
【０００４】
上記特許文献１に記載の発明によれば、スケールの付着防止対策として、電源の印加極性の切り替えを行なう度に、切替弁によって水路の切り替えを行なってはいるが、電解槽内には未電解の不完全電解水が残留し、また、電解槽から水路の途中に設けた切替弁までには切替前の電解水が残っているので、切替弁を切り替えてもこれらの電解水が他方の電解水に混入してしまう問題があった。
【０００５】
図６と図７は、上記従来の装置による電解水の流れの状態を示したものである。これ等の図面において、１００は電解槽、１０１は電解槽１００の内部を陰極室と陽極室とに仕切る隔膜、１０２と１０３は電極、１０４は被電解水、１０５と１０６は送水管、１０７と１０８は第１と第２の水路切替用電磁弁、１０９と１１０は分岐パイプを示す。また、これ等の図では、アルカリ性水が通水される場合の水路は斜線で（ア）と示し、酸性水の水路は白色（記号なし）で（酸）と示し、不完全電解水は点々を散りばめて（不）と示した。而して、図６（１）は通常時の流れであり、陽極室で電気分解された酸性水（酸）を、酸性水の採水口１１６から酸性水タンク（図示省略）に貯水する場合を示し、陰極室で電気分解されたアルカリ性水（ア）は、アルカリ性水の採水口１１５からアルカリ性水タンク（図示省略）に貯水する場合を示す。
【０００６】
図６（２）は、電極の極性及び電磁弁１０７，１０８の切り替え直後の送水時の流れの状態を示したものであり、極性と電磁弁１０７，１０８を同時に切り替えたので、電解槽１００内では極性切替後の電解が始まり、これが不完全電解状態の電解水（不）となり、給水が継続されているので電解槽１００からは不完全電解水（不）が送水され、送水管１０６内の上流に残った酸性水（酸）は、電磁弁１０８から分岐パイプ１０９を通ってアルカリ性水採水口１１５に向かって進み、他方の送水管１０５内の上流に残ったアルカリ性水（ア）は、分岐パイプ１１０より酸性水吐水口１１６に向かって進む。このとき下流に残った酸性水（酸）とアルカリ性水（ア）は、図６（１）と同じ吐水口１１６，１１５から吐水される。図６（３）では、完全に逆性状の電解水を生成開始したので、不完全電解水（不）が切り替えられた送水路１０５，１０６に従って送水され、下流の残存電解水（ア）と（酸）は順次吐水口１１５，１１６側に送水される。
【０００７】
図７（４）では、逆性状の電解水が切り替えられた送水路１０５，１０６に従って送水され、その下流では図６（３）で示した不完全電解水（不）が順次送られ、更に下流では極性切替前の電解水（ア）と（酸）が目的とは逆の吐水口１１６，１１５から吐水される。図７（５）では更に時間が経過し、逆性状の電解水（ア）と（酸）が送水されるので、不完全電解水（不）が双方の吐水口１１５，１１６から吐水されることになる。また、図７（６）では、不完全電解水（不）の吐水が終わり、逆性状の電解水（ア）と（酸）が目的の吐水口１１５と１１６から吐水され始めるところを示した図である。
【０００８】
以上説明した如く、従来の電解水生成装置では、スケール対策のために電解中に電解極性の切り替えを行うと、一方の電解水に他方の電解水が混入して、不完全電解水が送水されてしまう問題があった。
【０００９】
そこで本発明の技術的課題は、スケール対策のために電解中に電解極性の切り替えを行っても、電解槽内に残っている不完全電解水や、送水路の途中に残っている電解水が他方の電解水に混入しないように工夫した電解水生成方法とその装置を提供することである。
【課題を解決するための手段】
【００１０】
上記の技術的課題を解決するために、本発明で講じた手段は以下の如くである。
【００１１】
（１）  本発明の請求項１に係る電解水生成方法は、電解水の生成中に、電解槽の各電解室に印加される印加電圧の極性を切り替えることによって、各電解室や隔膜、或いは、電極や水路に付着されている酸化物等のスケールを除去することを可能にする電解水生成方法であって、上記印加電圧の極性を切り替えた後に、上記電解槽への被電解水の給水を停止した状態で、上記電解槽の各電解室に残留する十分に電解が成されていない不完全電解水を、上記切り替えた印加電圧によって必要とする水質に達するまで電解を済ませた後、各電解室より各送水路に送水することを特徴としている。
【００１２】
（２）  また、本発明の請求項２に係る電解水生成方法は、前記不完全電解水の電解が済んだ後に、前記電解槽への被電解水の給水が行われ、次いで、前記極性を切り替えた印加電圧による電解が継続されることを特徴としている。
【００１３】
（３）  次に、本発明の請求項３に係る電解水生成装置は、電解水の生成中に、電解槽の各電解室の各電極に印加される印加電圧の極性を切り替えることによって、各電解室や隔膜、或いは、電極や水路に付着されている酸化物等のスケールを除去するように構成した電解水生成装置であって、この電解水生成装置の動作を制御する制御装置が、上記電解槽に対する被電解水の給水を制御するための給水制御手段と、上記各電解室内の各電極に印加される印加電圧の極性を切り替えることができる印加電圧の極性切替手段と、印加電圧の極性の切り替え時に、上記給水制御手段による被電解水の給水の停止と、上記極性切替手段による印加電圧の極性の切り替えによる電解を、上記電解室内の不完全電解水が必要とする水質に達するまで行い、その後、上記給水制御手段による被電解水の給水の再開と、上記切り替えた印加電圧による電解を所定時間行う制御手段と、を含んでいることを特徴としている。
【００１４】
（４）  また、本発明の請求項４に係る電解水生成装置は、前記電解槽の各電解室毎に設けられた二つの送水口に、一方及び他方から成る二本の送水路を接続して、これ等一方の送水路の先端口を酸性水採水口と成し、他方の送水路の先端口をアルカリ性水採水口と成すと共に、上記各送水路の途中には、上記電解槽の一方及び他方の電解室で生成されて各送水口から送水されて来る酸性水とアルカリ性水を、前記制御装置による切り替え制御に従って、酸性水は上記の酸性水採水口に向けて送出し、アルカリ性水は上記のアルカリ性水採水口に向けて送出するための第一及び第二の水路切替手段が設けられていることを特徴としている。
【００１５】
（５）  また、本発明の請求項５に係る電解水生成装置は、前記第一及び第二の水路切替手段による送水路の切り替えタイミングが、前記電解槽への単位時間あたりの被電解水の給水量を設定する給水量設定手段と、設定された給水量を記憶する記憶手段とを構成要素と成すと共に、前記制御装置は、事前に設定されている前記各送水口から前記各切替手段に至るまでの送水路の内径と長さから算出した容量と、単位時間あたり給水量とから、この容量に相当する水量の送水時間経過直後に、前記各水路切替手段を切り替え作動せしめることを特徴としている。
【００１６】
（６）  また、本発明の請求項６に係る電解水生成装置は、前記第一及び第二の水路切替手段による送水路の切り替えタイミングが、前記電解槽に設けた電解水の送水路において、前記水路切替手段の直前に、少なくとも電解水の酸化還元電位検出手段、ｐＨ検出手段、或いは、塩素濃度検出手段のいずれか一手段を設けて、前記制御装置は、上記各手段によって予め決められているしきい値を越えた場合に、上記の水路切替手段が切り替え作動されるように構成されていることを特徴としている。
【００１７】
（７）  更に、本発明の請求項７に係る電解水生成装置は、前記制御装置に、少なくとも前記送水路の内径や長さ、及び、単位時間あたりの給水量といった、各種の設定値を入力可能にした入力部が設けられていることを特徴としている。
【００１８】
尚、上記（１）、（２）、（３）に記載の請求項１、２、３に係る電解水生成方法並びに電解水生成装置において、「不完全電解水」とは、図１で示した本発明の実施例に係る電解水生成装置は、流水式の装置であり、電解槽内にほぼ中性の被電解水を供給し、供給口から槽内を通過するうちに電解され、陽極室ではｐＨ３前後と陰極室ではｐＨ１１前後の電解水が生成され出口から送水される。しかし電解途中で印加極性を変えることにより十分な電解が行なわれていないので目的のｐＨに達していない状態の電解水を指す。
【００１９】
前述した（１）、（２）、（３）、（４）で述べた請求項１、２、３、４に記載の電解水生成方法とその装置によれば、電解中の印加極性の切り替えと同時に、被電解水の給水を停止して切り替え後の極性で所定時間電解を行う。給水の停止に伴い採水はできないが、切り替え前の電解水が逆電解により中和され、更に電解を続行することにより、電解槽内では極性切り替え後の（完全な）電解水が生成されることになる。
【００２０】
前述した（５）で述べた請求項５に係る電解水生成装置によれば、電極の印加極性を切り替えた時点では、電解槽の送水口から水路切替手段までには、切り替え前の電解水が残存する。その為、送水路の内径と長さからこの送水路の容量を算出し、容量と単位時間の給水量から極性切替後に生成された電解水が水路切替手段に到達した時点で、水路切替手段を切り替える様に制御する。
【００２１】
その結果、電解槽の送水口から水路切替手段までの水路の容量と、給水量から水路切替手段の切り替えタイミングが分かると共に、極性切替前の残存電解水が水路切替手段を到達してから切り替えられるので、切替前後の電解水が混入することがない。また、遅延時間の設定のみで行なえるので、簡単な構成で優れた効果が発揮できる。
【００２２】
前述した（６）で述べた請求項６に係る手段によれば、水路切替手段の直前に前記各種の検出手段のいずれか１手段を設け、水路内でのアルカリ性水または、酸性水の水種が切り替わると、前記検出手段の指示値が変動し、しきい値を超えるので水路切替手段を切り替える。その結果、アルカリ性水と酸性水では、酸化還元電位、ｐＨ、塩素濃度が大幅に相違するので、これらの値を利用して水路切替手段を切り替えるため、水圧の変動等の影響を受けずに最適なタイミングで切り替えることが出来る。
【００２３】
前述した（７）で述べた請求項７に係る手段によれば、送水路の内径と長さ、及び、単位時間の被電解水の給水量の設定値等の入力部を設けたので、これらの数値の入力により水路の切替時間の算出が出来る。その結果、電解槽からの水路切替手段までの距離の変更や、給水量の変更にも即時に対応することができる。
【発明の効果】
【００２４】
以上述べた次第で、本発明に係る電解水生成方法とその装置によれば、従来技術の様に、被電解水を給水しながら印加極性を切り替える方式ではないので、切り替え時に槽内に発生（残留）する不完全電解水を送水することがなく、また、酸性とアルカリ性の電解水同士が混合することもなく、安全に電解水を生成して利用することが可能になる。
【図面の簡単な説明】
【００２５】
【図１】本発明に係る電解水生成装置の全体を説明した構成図。
【図２】本発明に係る電解水生成装置の電気的構成を説明したブロック図。
【図３】本発明における電解水の流れを説明した構成図。
【図４】図３に示した流れの続きを説明した本発明における電解水の流れを説明した構成図。
【図５】本発明の動作を説明したフローチャート。
【図６】従来装置における電解水の流れを説明した構成図。
【図７】図６に示した流れの続きを説明した従来装置における電解水の流れを説明した構成図。
【発明を実施するための形態】
【００２６】
以下に、上述した本発明に係る電解水生成方法とその装置の好適な実施例を図面と共に説明すると、図１は請求項１に係る本発明の全体を説明した構成図であって、図中、符号１で全体的に示したのは、水道水若しくは純水に電解質を添加した被電解水を電気分解することによって、陽極側に殺菌効果を備えた酸性水を生成し、陰極側には洗浄効果を備えたアルカリ性水を生成できるように構成した本発明に係る電解水生成装置の一実施例を示したものである。
【００２７】
上記の電解水生成装置１は、図示の如く電解槽１０と、制御装置２０を備えた制御部３０と、電源４０とを備えている。
【００２８】
電解槽１０の内部は、隔膜１０Ｔによって一方の電極１０Ｘが設けられた一方の電解室１０Ａと、他方の電極１０Ｙが設けられた他方の電解室１０Ｂとに仕切られていて、図示の如く一方の電解室１０Ａが陰極１０Ｘを備えた陰極室で、他方の電解室１０Ｂが陽極１０Ｙを備えた陽極室である場合は、電気分解によって一方の電解室１０Ａでは洗浄作用を備えたアルカリ性水が生成され、他方の電解室１０Ｂでは殺菌作用を備えた酸性水が生成される仕組みに成っている。３は水道水若しくは純水に電解質を添加した被電解水を、上記一方の電解室１０Ａ及び他方の電解室１０Ｂに給水する給水管（パイプ）、３Ｒはこの給水管３の途中に設けた入水量調整用の入水量電磁弁を示す。
【００２９】
また、１０Ｍと１０Ｎは上記一方の電解室１０Ａと他方の電解室１０Ｂの上面に設けた電解水の送水口で、一方及び他方の送水路１１Ａと１１Ｂの下端がこれ等各送水口１０Ｍ、１０Ｎに連通接続されている。
【００３０】
更に図中、１４Ａと１４Ｂは、各入水口を上記一方の送水路１１Ａと他方の送水路１１Ｂの先端部分に取り付けて成る採水切替用電磁弁としての第１の三方弁と第２の三方弁であって、各三方弁１４Ａ、１４Ｂは、開放されている出口側の一方の出水口に、アルカリ性水の出水路１２Ａと酸性水の出水路１２Ｂの各根端部を夫々接続して、生成されたアルカリ性水と酸性水を、アルカリ性水採水口１２Ａ１と酸性水採水口１２Ｂ１に送水すると共に、他方の出水口を、夫々第１と第２のバイパス水路１５Ａ，１５Ｂを用いて相対向して並設されている上記酸性水の出水路１２Ｂ、及び、上記アルカリ性水の出水路１２Ａの各中間部に連通接続している。
【００３１】
更に図１において、１６と１７はアルカリ性水タンクと酸性水タンクで、１６Ａと１６Ｂ並びに１７Ａと１７Ｂは各タンク１６，１７に設けた上限検知器とオーバーフローを示す。また、４は入水用電磁弁、５はフローセンサ、６は電解質タンク７の食塩水を給水管３に送る塩水ポンプである。
【００３２】
上記の構成において、マイクロコンピュータを搭載した上記の制御部３０には、前述した電源４０及び符号４１で全体的に示したリレー回路が接続され、更に、上述した流量電磁弁３Ｒ、入水用電磁弁４、フローセンサ５、塩水ポンプ６、水質検出器８と、上述した第１、第２の三方弁１４Ａ，１４Ｂが接続されていて、夫々が制御部３０を構成するマイクロコンピュータの指示に従って制御作動される仕組みに成っている。また、電源４０には前述した制御装置２０を介して前記電解槽１０の一方の電極１０Ｘと他方の電極１０Ｙが接続されていて、電気分解によって例えば陽極室となる一方の電解室１０Ｂで酸性水が生成され、陰極室となる他方の電解室１０Ａでアルカリ性水が生成される仕組に成っている。
【００３３】
上述したリレー回路４１は、リレースイッチ４１Ａと４１Ｂによって前記電解槽１０の一方と他方の電極１０Ｘ，１０Ｙの極性を、所定の間隔で切り替えることによって、アルカリ性水と酸性水とを一方の送水路１１Ａと他方の送水路１１Ｂに対して交互に切り替えて供給して、上述したスケールの発生を防止することができる電極切り替え用のリレー回路である。
【００３４】
このリレー回路４１による上記電極の切り替えは、前記制御部３０に格納されたプログラムに従って実行される仕組みに成っていて、図示の実施例では、前述した第１と第２の三方弁１４Ａ，１４Ｂが電極１０Ｘ，１０Ｙの切り替えに同調して切り替わって、今まで吐水されていた電解水と同じ酸性水又はアルカリ性水を、夫々の採水口１２Ｂ１又は１２Ａ１に送り込むように構成されている。
【００３５】
従って上記の構成において、制御部３０の指令に従ってリレー回路４１が電極１０Ｘ，１０Ｙの極性を切り替えると、前記第１、第２の三方弁１４Ａ，１４Ｂも切り替わって、流水路を夫々バイパス水路１５Ａ，１５Ｂに切り替えるため、電解槽１０の電極１０Ｘ，１０Ｙの極性が電解運転中に切り替わったとしても、今迄と同じアルカリ性水と酸性水を各出水路１２Ａ及び１２Ｂに流し続けることができるため、吐水される電解水と貯水される電解水が洗浄運転の途中で混合する問題を防止できる。
【００３６】
更に本発明では、上記リレー回路４１が電極１０Ｘ，１０Ｙの極性を切り替えると、制御部３０が入水用電磁弁４を閉じて被電解水の入水を停止すると共に、上記電解槽１０の各電解室１０Ａ，１０Ｂに残留している十分に電解が成されていない不完全な電解水を、上記切り替えた印加電圧により必要とする水質に達するまで電解を行い、その後、上記入水用電磁弁４を開いて、各電解室１０Ａ，１０Ｂへの被電解水の入水を行うことにより、完全に電解を済ませた電解水が送水路１１Ａ，１１Ｂに送出される仕組に成っている。
【００３７】
加えて本発明では、上記不完全な電解水の再電解が済むと、制御部３０が前記第１と第２の三方弁１４Ａと１４Ｂを酸性水は必ず酸性水の採水口１２Ｂ１に送水され、また、アルカリ性水は必ずアルカリ性水の採水口１２Ａ１に送水されるように切り替え制御して、電解水の混合を防止するように構成されている。
【００３８】
而して図２は、上記制御装置２０を備えた制御部３０の電気的構成を説明したブロック図であって、制御装置２０はＣＰＵ２０Ａと時計部２０Ｂと水路切替用時計部２０Ｃとを含む。また、２１は水路切り替えの時刻や、不完全な電解水を再電解するための時刻、或いは、第１、第２の三方弁１４Ａ，１４Ｂの切替作動用プログラムといった、本発明が必要とする各種データやプログラムを格納したメモリ、２３はこれ等制御装置２０とメモリ２１の間にバス２２を介して接続したインターフェイスを示す。
【００３９】
また、上記のインターフェイス２３には、上述した第１、第２の三方弁１４Ａ，１４Ｂ用の水路切替用電磁弁１４Ｘ，１４Ｙや、前述した流量調整弁３Ｒ、フローセンサ５、入水用電磁弁４、電解質供給ポンプ６、システムにエラーが生じた場合に作動する警報部７、基準時計用の時計回路２０Ｔ、電極１０Ｘ，１０Ｙを反転させるための電極反転部９、表示部２１、入力部２２、水質検出器８といった、図１に示されている本発明の構成部材が接続されていて、上記メモリ２１に格納されているプログラムに従って制御装置２０によって制御作動される仕組に成っている。
【００４０】
次に、本発明の構成とその動作、並びに、実験例を図面と共に更に詳しく説明すると、本発明は、被電解水の給水を制御する給水制御手段と、電解槽１０内の電極１０Ｘ，１０Ｙの印加極性を切り替える印加極性切替手段とから構成され、電解槽１０に設けられた一方の送水口１０Ｍに接続された送水路１１Ａから送られてくる電解水を、アルカリ性水採水口１２Ａ１又は酸性水採水口１２Ｂ１に選択して送水するための第一の水路切替手段（三方弁１４Ａ）と、他方の送水口１０Ｎに接続された送水路１１Ｂから送られてくる電解水を、酸性水採水口１２Ｂ１又はアルカリ性水採水口１２Ａ１に選択して送水するための第二の水路切替手段（三方弁１４Ｂ）を備えていて、電解水生成時に、スケールの付着防止のために定期的（実施例では４０分毎）に電解極性を切り替え、同時に水路も切り替えるので常に同じ採水口１２Ａ１又は１２Ｂ１から同一の電解水が得られる仕組に成っている。ところが極性の切り替えと同時に水路を切り替えると、電解槽１０内には切り替え前の電解水が残っているため、この残水が三方弁１４Ａ，１４Ｂの切り替え後に混入してしまう問題があった。
【００４１】
本発明ではこの対策として、印加極性の切り替え時に於いて、
（ａ）   被電解水の入水用電磁弁４及び電解質供給ポンプ６を操作して、電解槽１０への被電解水の給水を停止する。（但し、極性切り替え後の電極１０Ｘ，１０Ｙへの印加は続行する）給水の停止によって採水口１２Ａ１，１２Ｂ１からの出水も停止される。
【００４２】
（ｂ）  電解槽１０内の不完全電解水を極性切替後に生成すべき電解水の水質に達するまで電解を行なう。厳密に言うと電解槽１０内で電解されながら送水口１０Ｍ，１０Ｎ（電解槽１０の出口）から送水される時点で、所定の水質（陽極室の送水口ではｐＨ３前後、陰極室の送水口ではｐＨ１１前後）になれば良い。
【００４３】
この電解時間は例えば１２秒程度で良いが、安全度を見ても１５秒程度で十分である。ここで、極性の切り替え後の電解時間については、装置の規模すなわち単位時間の生成量、電解槽１０の容積、電解電流によって決まるが、今回の実験では、一方の電解水の生成量が２０００ｍｌ／ｍｉｎ で、電解槽１０の容積は２５ｍｌ×１０ 室で電解電流は１９Ａの装置を使用した。この条件で電解を行ない、電極１０Ｘ，１０Ｙの切替時点で被電解水は陽陰両極室の入口ではｐＨ７、陽極室の送水口ではｐＨ３ 前後、陰極室の送水口ではｐＨ１１ 前後まで電解され送水口から出るまでの時間は約７．５秒であった。実験に於いて、電解槽１０内２５ｍｌをすべてｐＨ３ 及びｐＨ１１ に設定し、この逆のｐＨ１１ 及びｐＨ３ になるまで電解するには約１５ 秒かかった。
【００４４】
しかし、極性切替時では電解室入口の不完全電解水のｐＨは７であり、出口との平均値を考えるとこの中間の５及び９と見て良いから極性の切り替え後の反対極性の電解時間は１２秒程度で良く、安全度を見て１５秒あれば十分でありそれ以上電解してもｐＨは飽和状態であり塩素濃度がやや増加する程度である。
【００４５】
（ｃ）  その後、上記設定の電解時間が終了したら給水を再開する。
制御装置２０は、極性切替後の電解水が水路切替用の三方弁１４Ａ，１４Ｂまで到達したら、双方の水路を切り替える様に制御する。その結果、不完全な電解水を採水する不具合がなくなる。その後は、通常の電解を継続する。
【００４６】
極性切替後の電解水が水路切替用の三方弁１４Ａ，１４Ｂまで到達するタイミングを判断する手段として、電解槽１０の送水口１０Ｍ，１０Ｎから水路切替用の三方弁１４Ａ，１４Ｂでまでの送水路１１Ａ，１１Ｂの容量を求め、設定した給水量から新たな電解水が水路切替用の三方弁１４Ａ，１４Ｂまで到達する時間が分かり、到達時間経過直後に両三方弁１４Ａ，１４Ｂを切り替える。
【００４７】
ここで、被電解水の給水量は陽極室と陰極室へ供給されることになるので、一方の送水路１１Ａ又は１１Ｂを通過する水量は設定給水量の１／２ になる。また、双方の送水口１０Ｍ，１０Ｎから両三方弁１４Ａ，１４Ｂまでの送水路１１Ａ，１１Ｂの内径と長さは同一で、出来るだけ短い方が良い。
【００４８】
他の水路切替手段の切替方法として、アルカリ性水と酸性水では著しく値の異なる酸化還元電位、ｐＨ、塩素濃度を利用する。これらの検出手段の何れか１手段を一方の水路切替用三方弁１４Ａまたは、１４Ｂの直前に設置する。通常、酸化還元電位は酸性水で約１１００ｍＶ、アルカリ性水で約−８００ｍＶであリ、ｐＨは酸性水で３前後、アルカリ性水で１１前後、酸性水で塩素濃度は１０〜８０ｐｐｍ、アルカリ性水では検出しない。これらの値は大幅に相違するので所定のしきい値を予め決めておけば、電解極性切替後の電解水が検出手段に到達したことが容易に分かる。
【００４９】
尚、図１で示した実施例では、水路切替用手段として３方向の電磁弁、即ち、三方弁を２個使用したが、これは１方向の電磁弁４個でも良く、４方向弁１個でも良い。
【００５０】
図３と図４は、本発明における電解水の流れを説明したものである。これ等の図において、前記図６、図７で示した従来例と同様に、アルカリ性水が通水される場合の水路は斜線で（ア）と示し、酸性水の水路は白色（記号なし）で（酸）と示し、不完全電解水は点々を散りばめて（不）と示した。而して、図３の（１）は通常時の流れであり、（２）は給水を停止し、極性切り替え直後の図であり、給水が停止中なので送水されないため吐水は停止となる。（３）は、電解中の被電解水は極性が替えられ不完全電解水となり、給水が停止中なので吐水も停止中である。
【００５１】
図４の（４）では、予め設定された時間電解を行なったので、各電解室１０Ａ，１０Ｂ内では極性切替後の電解水が生成されるが、吐水は停止状態である。（５）は、設定された時間の電解が終了したので給水を再開し、逆性状の電解水がそれぞれ送水され始め、採水口１２Ａ１，１２Ｂ１からは、管内の残存電解水は所定（図１と同じ）の採水口から吐水される。（６）では、極性切り替え後の電解水が切替用の三方弁１４Ａ，１４Ｂに到達し、三方弁１４Ａ，１４Ｂが切り替えられたので、切り替えられた送水路１２Ａ，１２Ｂに従って送水されるので、酸性水は酸性水の採水口１２Ａ１から、アルカリ性水は、アルカリ性水の採水口１２Ｂ１から吐水される。すなわち逆側の電解室１０Ａ又は１０Ｂで生成された各々の電解水が（１）と同一の採水口１２Ａ１及び１２Ｂ１から吐水される。
【００５２】
上記の各図で説明した三方弁１４Ａ，１４Ｂの切り替え方式は、請求項１、若しくは３に記載の方式によるものである。従って、それぞれのタンク１６，１７には、図６の従来例の様に異種の電解水が混入することなく、常に同一性状の電解水が採水される本発明の特徴を説明したものである。
【００５３】
図５は本発明の動作を説明したフロー図である。電解水の生成にあたり電源を入れると入水用電磁弁４及び電解質供給ポンプ６が作動して電解が開始され、アルカリ性水及び酸性水双方の電解水が採水口１２Ａ１，１２Ｂ１から採水可能になる。スケール対策のため所定時間（４０分）毎に電解極性を切り替える様に制御され、本フロー図は極性の切り替え時間に達した時点を説明したものである。
【００５４】
先ず、ステップＳ１で給水停止動作を行なうと共に、入水用電磁弁４を閉じて電解質供給ポンプ６を停止する。次に、ステップＳ２に進んで、電極１０Ｘ，１０Ｙの極性を切り替えて所定の電圧を印加する。その後、前述の様に約１２秒間電解すれば電解槽１０内の被電解水は極性切り替え後のｐＨの電解水になるように設定されているので、ステップＳ３に進んで設定時間（１）を確認する。
【００５５】
設定時間（１）が経過したら、ステップＳ４で電圧の印加はそのまま続行して給水を再開すると、採水可能となる。この時点では、電解槽１０の送水口１０Ｍ，１０Ｎと水路切替用の三方弁１４Ａ，１４Ｂ間の水路１１Ａ，１１Ｂには極性切り替え前の電解水が残存しているので、この残水が水路切替用三方弁１４Ａ，１４Ｂを通過するまでの時間、すなわち、ステップＳ５の設定時間（２）を計測し、時間が経過したら、ステップＳ６に進んで水路切替用の三方弁を切り替える。
【００５６】
従って、水路切替後には給水停止中に電解した電解水及び給水を再開して、電解された（これらは同質の電解水である）電解水が次の電極切替時間の４０分後まで連続して生成される。請求項６の場合は「設定時間（２）経過したか」の替わりに「水質検出器の検出値がしきい値を越えたか」となる。
【符号の説明】
【００５７】
１            電解水生成装置
３            給水管
４            入水用電磁弁
６            塩水ポンプ
７            電解質タンク
１０          電解槽
１０Ｔ        隔膜
１０Ａ，１０Ｂ        電解室
１０Ｘ，１０Ｙ        電極
１０Ｍ，１０Ｎ        送水口
１１Ａ，１１Ｂ        送水路
１２Ａ        アルカリ性水の出水路
１２Ｂ        酸性水の出水路
１２Ａ１      アルカリ性水の採水口
１２Ｂ１      酸性水の採水口
１４Ａ        第一の三方弁
１４Ｂ        第二の三方弁
１５Ａ        第１のバイパス水路
１５Ｂ        第２のバイパス水路
２０          制御装置
３０          制御部
４０          電源
４１          リレー回路
４１Ａ，４１Ｂ        リレースイッチ
【図１】
2011045802.tif 000003
【図２】
2011045802.tif 000004
【図３】
2011045802.tif 000005
【図４】
2011045802.tif 000006
【図５】
2011045802.tif 000007
【図６】
2011045802.tif 000008
【図７】
2011045802.tif 000009